(57)【要約】  本発明の実施例はデータ伝送及び関連製品を提供し、前記方法は、ＨＡＲＱ  ｂｕｆｆｅｒが空ではない場合、ユーザー装置が以前にデータを伝送する際に用いたｇｒａｎｔを選択して再送すべきデータを伝送し、又は、ＨＡＲＱ  ｂｕｆｆｅｒが空である場合、前記ユーザー装置が前記ユーザー装置の許容するキャリアアクセス方式に基づいて現在の１つの準静的スケジューリングのｇｒａｎｔを選択して新規データを伝送し、又は現在の複数の準静的スケジューリングのｇｒａｎｔを選択して新規データを伝送することを含む。本発明の実施例を用いることにより、同一ＵＥの複数の準静的スケジューリングの衝突問題を回避することができる。
2020529747.tif 000002
【特許請求の範囲】
【請求項１】
データ伝送方法であって、
ハイブリッド自動再送要求バッファ（ＨＡＲＱ  ｂｕｆｆｅｒ）が空ではない場合、ユーザー装置は以前にデータを伝送する際に用いたアップリンクリソースグラント（ｇｒａｎｔ）を選択して再送すべきデータを伝送すること、又は、
ＨＡＲＱ  ｂｕｆｆｅｒが空である場合、前記ユーザー装置は前記ユーザー装置の許容するキャリアアクセス方式に基づいて現在の１つの準静的スケジューリングのｇｒａｎｔを選択して新規データを伝送し、又は現在の複数の準静的スケジューリングのｇｒａｎｔを選択して新規データを伝送することを含むことを特徴とするデータ伝送方法。
【請求項２】
前記ユーザー装置が前記ユーザー装置の許容するキャリアアクセス方式に基づいて現在の１つの準静的スケジューリングのｇｒａｎｔを選択して新規データを伝送し、又は現在の複数の準静的スケジューリングのｇｒａｎｔを選択して新規データを伝送することは、
ＨＡＲＱ  ｂｕｆｆｅｒが空であって、現在では準静的スケジューリングのｇｒａｎｔがＮ個あって、且つ前記ユーザー装置がシングルキャリアアクセス方式以外の方式を用いることを許容しなければ、前記ユーザー装置が前記Ｎ個の準静的スケジューリングのｇｒａｎｔのうちの１つのｇｒａｎｔを選択して新規データを伝送し、前記Ｎは１より大きい整数であることと、
ＨＡＲＱ  ｂｕｆｆｅｒが空であって、現在では準静的スケジューリングのｇｒａｎｔがＮ個あって、且つ前記ユーザー装置がシングルキャリアアクセス方式以外の方式を用いることを許容すれば、前記ユーザー装置が前記Ｎ個の準静的スケジューリングのｇｒａｎｔのうちの複数のｇｒａｎｔを選択して新規データを伝送することと、を含むことを特徴とする請求項１に記載の方法。
【請求項３】
前記方法は、更に、
ＨＡＲＱ  ｂｕｆｆｅｒが空であって、現在では動的スケジューリングのｇｒａｎｔがある場合、前記ユーザー装置が現在の動的スケジューリングのｇｒａｎｔを選択して新規データを伝送することを含むことを特徴とする請求項１又は２に記載の方法。
【請求項４】
前記ユーザー装置が前記Ｎ個の準静的スケジューリングのｇｒａｎｔのうちの１つのｇｒａｎｔを選択して新規データを伝送することは、
前記ユーザー装置が前記Ｎ個の準静的スケジューリングのｇｒａｎｔのうちの伝送ブロックサイズ（ＴＢＳ）の最も大きい１つのｇｒａｎｔを選択して新規データを伝送することを含むことを特徴とする請求項２又は３に記載の方法。
【請求項５】
前記ユーザー装置が前記Ｎ個の準静的スケジューリングのｇｒａｎｔのうちの１つのｇｒａｎｔを選択して新規データを伝送することは、
前記ユーザー装置が前記Ｎ個の準静的スケジューリングのｇｒａｎｔのうちのインデックス値（Ｉｎｄｅｘ）の最も大きい又は最も小さいｇｒａｎｔを選択して新規データを伝送することを含むことを特徴とする請求項２又は３に記載の方法。
【請求項６】
前記ユーザー装置が以前にデータを伝送する際に用いたｇｒａｎｔを選択して再送すべきデータを伝送することは、
ＨＡＲＱ  ｂｕｆｆｅｒが空ではなく、且つ現在では伝送時間間隔（ＴＴＩ）の動的スケジューリングのｇｒａｎｔに未反転の新規データ指標（ＮＤＩ）がない場合、前記ユーザー装置が以前にデータを伝送する際に用いたｇｒａｎｔを選択して再送すべきデータを伝送することを含むことを特徴とする請求項１に記載の方法。
【請求項７】
前記方法は、更に、
ＨＡＲＱ  ｂｕｆｆｅｒが空ではなく、且つ現在ではＴＴＩの動的スケジューリングのｇｒａｎｔに未反転のＮＤＩがある場合、前記ユーザー装置が現在の動的スケジューリングのｇｒａｎｔを選択して再送すべきデータを伝送することを含むことを特徴とする請求項６に記載の方法。
【請求項８】
前記ユーザー装置が以前にデータを伝送する際に用いたｇｒａｎｔを選択して再送すべきデータを伝送することは、
以前にデータを伝送する際に用いたｇｒａｎｔが１つの準静的スケジューリングのｇｒａｎｔである場合、前記ユーザー装置が前記１つの準静的スケジューリングのｇｒａｎｔを選択して再送すべきデータを伝送することと、
以前にデータを伝送する際に用いたｇｒａｎｔがＭ個の準静的スケジューリングのｇｒａｎｔである場合、前記ユーザー装置が前記Ｍ個の準静的スケジューリングのｇｒａｎｔを選択して再送すべきデータを伝送し、前記Ｍは１より大きい整数であることと、を含むことを特徴とする請求項６又は７に記載の方法。
【請求項９】
データ伝送方法であって、
ネットワーク装置はユーザー装置が以前にデータを伝送する際に用いたアップリンクリソースグラント（ｇｒａｎｔ）のリソースを監視し、それによって前記ネットワーク装置は、前記ユーザー装置がハイブリッド自動再送要求バッファ（ＨＡＲＱ  ｂｕｆｆｅｒ）が空ではない場合、以前にデータを伝送する際に用いたｇｒａｎｔによって伝送した再送すべきデータを取得すること、又は、
前記ネットワーク装置は現在の１つの準静的スケジューリングのｇｒａｎｔ又は現在の複数の準静的スケジューリングのｇｒａｎｔのリソースを監視し、それによって前記ネットワーク装置は、前記ユーザー装置がＨＡＲＱ  ｂｕｆｆｅｒが空である場合、現在の１つの準静的スケジューリングのｇｒａｎｔ又は現在の複数の準静的スケジューリングのｇｒａｎｔによって伝送した新規データを取得することを含むことを特徴とするデータ伝送方法。
【請求項１０】
前記方法は、更に、
前記ネットワーク装置が現在の動的スケジューリングのｇｒａｎｔのリソースを監視し、それによって前記ネットワーク装置は、前記ユーザー装置が、ＨＡＲＱ  ｂｕｆｆｅｒが空であって、現在では動的スケジューリングのｇｒａｎｔがある場合、現在の動的スケジューリングのｇｒａｎｔによって伝送した新規データを取得することを含むことを特徴とする請求項９に記載の方法。
【請求項１１】
現在では準静的スケジューリングのｇｒａｎｔがＮ個あって、前記Ｎは１より大きい整数である場合、前記ネットワーク装置が現在の１つの準静的スケジューリングのｇｒａｎｔのリソースを監視することは、
前記ネットワーク装置が現在の前記Ｎ個の準静的スケジューリングのｇｒａｎｔのうちの伝送ブロックサイズ（ＴＢＳ）の最も大きいｇｒａｎｔのリソースを監視することを含むことを特徴とする請求項９又は１０に記載の方法。
【請求項１２】
現在では準静的スケジューリングのｇｒａｎｔがＮ個あって、前記Ｎが１より大きい整数である場合、前記ネットワーク装置が現在の１つの準静的スケジューリングのｇｒａｎｔのリソースを監視することは、
前記ネットワーク装置が現在の前記Ｎ個の準静的スケジューリングのｇｒａｎｔのうちのインデックス値（Ｉｎｄｅｘ）の最も大きい又は最も小さいｇｒａｎｔのリソースを監視することを含むことを特徴とする請求項９又は１０に記載の方法。
【請求項１３】
前記方法は、更に、
前記ネットワーク装置が現在の動的スケジューリングのｇｒａｎｔのリソースを監視し、それによって前記ネットワーク装置は、前記ユーザー装置が、ＨＡＲＱ  ｂｕｆｆｅｒが空ではなく、且つ現在では伝送時間間隔（ＴＴＩ）の動的スケジューリングのｇｒａｎｔに未反転のＮＤＩがある場合、現在の動的スケジューリングのｇｒａｎｔによって伝送した再送すべきデータを取得することを含むことを特徴とする請求項９に記載の方法。
【請求項１４】
ユーザー装置であって、
処理ユニット及び通信ユニットを備え、
前記処理ユニットはハイブリッド自動再送要求バッファ（ＨＡＲＱ  ｂｕｆｆｅｒ）が空ではない場合、前記通信ユニットによって以前にデータを伝送する際に用いたアップリンクリソースグラント（ｇｒａｎｔ）を選択して再送すべきデータを伝送し、又は、ＨＡＲＱ  ｂｕｆｆｅｒが空である場合、前記通信ユニットによって前記ユーザー装置の許容するキャリアアクセス方式に基づいて現在の１つの準静的スケジューリングのｇｒａｎｔを選択して新規データを伝送し、又は現在の複数の準静的スケジューリングのｇｒａｎｔを選択して新規データを伝送することに用いられることを特徴とするユーザー装置。
【請求項１５】
ネットワーク装置であって、
処理ユニット及び通信ユニットを備え、
前記処理ユニットは前記通信ユニットによってユーザー装置が以前にデータを伝送する際に用いたアップリンクリソースグラント（ｇｒａｎｔ）のリソースを監視することにより、前記ユーザー装置の、ハイブリッド自動再送要求バッファ（ＨＡＲＱ  ｂｕｆｆｅｒ）が空ではない場合、以前にデータを伝送する際に用いたｇｒａｎｔによって伝送した再送すべきデータを取得し、又は、前記通信ユニットによって現在の１つの準静的スケジューリングのｇｒａｎｔ又は現在の複数の準静的スケジューリングのｇｒａｎｔのリソースを監視することにより、前記ユーザー装置の、ＨＡＲＱ  ｂｕｆｆｅｒが空である場合、現在の１つの準静的スケジューリングのｇｒａｎｔ又は現在の複数の準静的スケジューリングのｇｒａｎｔによって伝送した新規データを取得することに用いられることを特徴とするネットワーク装置。
【請求項１６】
ユーザー装置であって、
１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように構成され、
前記プログラムは請求項１〜８のいずれか１項に記載の方法におけるステップを実行するための命令を含むことを特徴とするユーザー装置。
【請求項１７】
ネットワーク装置であって、
１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように構成され、
前記プログラムは請求項９〜１３のいずれか１項に記載の方法におけるステップを実行するための命令を含むことを特徴とするネットワーク装置。
【請求項１８】
コンピュータ可読記憶媒体であって、
電子データを交換するためのコンピュータプログラムが記憶され、前記コンピュータプログラムによってコンピュータは請求項１〜８のいずれか１項に記載の方法を実行することを特徴とするコンピュータ可読記憶媒体。
【請求項１９】
コンピュータ可読記憶媒体であって、
電子データを交換するためのコンピュータプログラムが記憶され、前記コンピュータプログラムによってコンピュータは請求項９〜１３のいずれか１項に記載の方法を実行することを特徴とするコンピュータ可読記憶媒体。
【発明の詳細な説明】
【技術分野】
【０００１】
本発明は通信技術分野に関し、具体的にはデータ伝送方法及び関連製品に関する。
【背景技術】
【０００２】
ロングタームエボリューション技術（ＬＴＥ、Ｌｏｎｇ  Ｔｅｒｍ  Ｅｖｏｌｕｔｉｏｎ）システムはリソース共有方式でユーザーデータのスケジューリングを行うものであり、該スケジューリング方式は無線通信リソースを十分に利用することができるが、比較的に大きな制御情報のオーバーヘッドを必要とする。ＬＴＥシステムにおいて、すべての回線交換ドメインの音声サービスが無くなり、データドメインのＶｏＩＰサービスに替わった。しかしながら、音声ユーザーの数が多い場合が多く、またＬＴＥがリソース共有方式でユーザーデータのスケジューリングを行い、伝送するたびに関連する制御情報を必要とするため、制御情報のオーバーヘッドが大きすぎることになり、これにより、ＬＴＥシステムの同時にサポートできるユーザー数を制限している。従って、このようなパケットサイズが一定で、到達時間間隔が一定の法則に従うリアルタイムサービスに対して、ＬＴＥには準静的スケジューリング（ＳＰＳ、Ｓｅｍｉ−Ｐｅｒｓｉｓｔｅｎｔ  Ｓｃｈｅｄｕｌｉｎｇ）技術が導入されている。簡単に言うと、準静的スケジューリング方式とは、ＬＴＥのスケジューリング伝送過程において、発展型基地局（ｅＮＢ、ｅｖｏｌｖｅｄ  Ｎｏｄｅ  Ｂ）が初期のスケジューリングにおいて物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）によってユーザー装置（ＵＥ、Ｕｓｅｒ  Ｅｑｕｉｐｍｅｎｔ）に現在のスケジューリング情報を指示し、ＵＥが準静的スケジューリングであると認識した場合、現在のスケジューリング情報を保存し、一定の周期おきに同じ時間周波数リソース位置において該サービスデータの送信又は受信を行うことを意味する。
【０００３】
ＬＴＥシステムにおいて同一ＵＥが１つのみの準静的スケジューリングを許容するため、同一ＵＥの準静的スケジューリングが衝突することはない。現在、第５世代移動通信技術（５Ｇ、５−Ｇｅｎｅｒａｔｉｏｎ）又は新無線インターフェース（ＮＲ、Ｎｅｗ  Ｒａｔｉｏ）システムにおいて、既に同一ＵＥに複数の準静的スケジューリングがあってもよいことが提案されている。そうすると同一ＵＥの複数の準静的スケジューリングが衝突する恐れがあり、従って、５Ｇ又はＮＲにおいて、どのように同一ＵＥの複数の準静的スケジューリングの衝突問題を回避するかは解決すべき技術的課題となる。
【発明の概要】
【発明が解決しようとする課題】
【０００４】
本発明の実施例は同一ＵＥの複数の準静的スケジューリングの衝突問題を回避するデータ伝送方法及び関連製品を提供する。
【課題を解決するための手段】
【０００５】
第１態様では、本発明の実施例はデータ伝送方法を提供し、
ハイブリッド自動再送要求（ＨＡＲＱ、Ｈｙｂｒｉｄ  Ａｕｔｏｍａｔｉｃ  Ｒｅｐｅａｔ−ｒｅＱｕｅｓｔ）バッファ（ｂｕｆｆｅｒ）が空ではない場合、ユーザー装置は以前にデータを伝送する際に用いたアップリンクリソースグラント（ｇｒａｎｔ）を選択して再送すべきデータを伝送すること、又は、
ＨＡＲＱ  ｂｕｆｆｅｒが空である場合、ユーザー装置は前記ユーザー装置の許容するキャリアアクセス方式に基づいて現在の１つの準静的スケジューリングのｇｒａｎｔを選択して新規データを伝送し、又は現在の複数の準静的スケジューリングのｇｒａｎｔを選択して新規データを伝送することを含む。
【０００６】
第２態様では、本発明の実施例はデータ伝送方法を提供し、
ネットワーク装置はユーザー装置が以前にデータを伝送する際に用いたｇｒａｎｔのリソースを監視し、それによって前記ネットワーク装置は、前記ユーザー装置がＨＡＲＱ  ｂｕｆｆｅｒが空ではない場合、以前にデータを伝送する際に用いたｇｒａｎｔによって伝送した再送すべきデータを取得すること、又は、
前記ネットワーク装置は現在の１つの準静的スケジューリングのｇｒａｎｔ又は現在の複数の準静的スケジューリングのｇｒａｎｔのリソースを監視し、それによって前記ネットワーク装置は、前記ユーザー装置がＨＡＲＱ  ｂｕｆｆｅｒが空である場合、現在の１つの準静的スケジューリングのｇｒａｎｔ又は現在の複数の準静的スケジューリングのｇｒａｎｔによって伝送した新規データを取得することを含む。
【０００７】
第３態様では、本発明の実施例はユーザー装置を提供し、処理ユニット及び通信ユニットを備え、
前記処理ユニットは、ハイブリッド自動再送要求バッファ（ＨＡＲＱ  ｂｕｆｆｅｒ）が空ではない場合、前記通信ユニットによって以前にデータを伝送する際に用いたアップリンクリソースグラント（ｇｒａｎｔ）を選択して再送すべきデータを伝送すること、又は、ＨＡＲＱ  ｂｕｆｆｅｒが空である場合、前記通信ユニットによって前記ユーザー装置の許容するキャリアアクセス方式に基づいて現在の１つの準静的スケジューリングのｇｒａｎｔを選択して新規データを伝送し、又は現在の複数の準静的スケジューリングのｇｒａｎｔを選択して新規データを伝送することに用いられる。
【０００８】
第４態様では、本発明の実施例はネットワーク装置を提供し、処理ユニット及び通信ユニットを備え、
前記処理ユニットは、前記通信ユニットによってユーザー装置が以前にデータを伝送する際に用いたアップリンクリソースグラント（ｇｒａｎｔ）のリソースを監視することにより、前記ユーザー装置の、ハイブリッド自動再送要求バッファ（ＨＡＲＱ  ｂｕｆｆｅｒ）が空ではない場合、以前にデータを伝送する際に用いたｇｒａｎｔによって伝送した再送すべきデータを取得すること、又は、前記通信ユニットによって現在の１つの準静的スケジューリングのｇｒａｎｔ又は現在の複数の準静的スケジューリングのｇｒａｎｔのリソースを監視することにより、前記ユーザー装置の、ＨＡＲＱ  ｂｕｆｆｅｒが空である場合、現在の１つの準静的スケジューリングのｇｒａｎｔ又は現在の複数の準静的スケジューリングのｇｒａｎｔによって伝送した新規データを取得することに用いられる。
【０００９】
第５態様では、本発明の実施例はユーザー装置を提供し、１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように構成され、
前記プログラムは本発明の実施例の第１態様に記載の方法におけるステップを実行するための命令を含む。
【００１０】
第６態様では、本発明の実施例はネットワーク装置を提供し、１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように構成され、
前記プログラムは本発明の実施例の第２態様に記載の方法におけるステップを実行するための命令を含む。
【００１１】
第７態様では、本発明の実施例はコンピュータ可読記憶媒体を提供し、電子データを交換するためのコンピュータプログラムが記憶され、前記コンピュータプログラムによってコンピュータが本発明の実施例の第１態様に記載の方法を実行する。
【００１２】
第８態様では、本発明の実施例はコンピュータ可読記憶媒体を提供し、電子データを交換するためのコンピュータプログラムが記憶され、前記コンピュータプログラムによってコンピュータが本発明の実施例の第２態様に記載の方法を実行する。
【００１３】
第９態様では、本発明の実施例はコンピュータプログラム製品を提供し、前記コンピュータプログラム製品はコンピュータプログラムが記憶される非一時的なコンピュータ可読記憶媒体を含み、前記コンピュータプログラムの操作によってコンピュータが本発明の実施例の第１態様に記載の方法を実行することができる。
【００１４】
第１０態様では、本発明の実施例はコンピュータプログラム製品を提供し、前記コンピュータプログラム製品はコンピュータプログラムが記憶される非一時的なコンピュータ可読記憶媒体を含み、前記コンピュータプログラムの操作によってコンピュータが本発明の実施例の第２態様に記載の方法を実行することができる。
【発明の効果】
【００１５】
上記から分かるように、本解決手段では、ユーザー装置のＨＡＲＱ  ｂｕｆｆｅｒが空ではない場合、データ再送に用いるｇｒａｎｔが以前にデータを伝送する際に用いたｇｒａｎｔと同じであるため、同一ＵＥの複数の準静的スケジューリングの衝突を回避する。また、ＨＡＲＱ  ｂｕｆｆｅｒが空である場合、ユーザー装置が複数の準静的スケジューリングのｇｒａｎｔを用いてデータを伝送することを許容しなければ、ユーザー装置が１つのみの準静的スケジューリングのｇｒａｎｔを選択してデータを伝送し、ユーザー装置が複数の準静的スケジューリングのｇｒａｎｔを用いてデータを伝送することを許容すれば、ユーザー装置が複数の準静的スケジューリングのｇｒａｎｔを選択してデータを伝送し、これにより、同一ＵＥの複数の準静的スケジューリングの衝突を回避する。
【００１６】
本願のこれらの態様又は他の態様は以下の実施例の説明においてより明らかになる。
【図面の簡単な説明】
【００１７】
本発明の実施例の技術案をより明確に説明するために、以下に実施例の記述において使用必要な図面を簡単に説明するが、明らかに、以下に記載する図面は本発明の一部の実施例であって、当業者であれば、創造的な労力を要することなく、これらの図面に基づいて他の図面に想到しうる。
【００１８】
【図１】図１は本発明の実施例に係るネットワークアーキテクチャの模式図である。
【図２】図２は本発明の実施例に係るデータ伝送方法のフローチャートである。
【図３】図３は本発明の実施例に係るユーザー装置の構造模式図である。
【図４】図４は本発明の実施例に係るネットワーク装置の構造模式図である。
【図５】図５は本発明の実施例に係る別のユーザー装置の構造模式図である。
【図６】図６は本発明の実施例に係る別のネットワーク装置の構造模式図である。
【図７】図７は本発明の実施例に係る別のユーザー装置の構造模式図である。
【発明を実施するための形態】
【００１９】
当業者が本願の解決手段をよりよく理解するために、以下に本願の実施例の図面を参照しながら、本願の実施例の技術案を明確且つ完全に説明し、明らかに、説明される実施例は本願の実施例の一部だけであり、実施例のすべてではない。本願の実施例に基づき、当業者が創造的な労力を必要とせずに得られる他の実施例は、いずれも本願の保護範囲に属すべきである。
【００２０】
以下、それぞれ詳しく説明する。
【００２１】
本願の明細書、特許請求の範囲及び前記図面における用語「第１」「第２」「第３」及び「第４」等は異なるオブジェクトを区別するためのものであって、特定の順序を説明するためのものではない。なお、用語「含む」、「備える」及びそれらのいずれかの変形は非排他的包含を意味する。例えば、一連のステップ又はユニットを含む過程、方法、システム、製品又は装置は列挙したステップ又はユニットに限らず、更に列挙していないステップ又はユニットも選択肢として含み、又は、これらの過程、方法、製品又は装置固有の他のステップ又はユニットを選択肢として更に含む。
【００２２】
本明細書に言及した「実施例」とは、実施例を参照して説明した特定の特徴、構造又は特性が本願の少なくとも１つの実施例に含まれてもよいことを意味する。明細書の各箇所に現れた該用語は、必ずしも同じ実施例を指すとは限らないし、他の実施例と互いに排斥し合う、独立した又は代替の実施例でもない。当業者であれば、本明細書に説明される実施例は他の実施例と組み合わせてもよいことを明示的及び暗示的に理解する。
【００２３】
１）ユーザー装置（ＵＥ、Ｕｓｅｒ  Ｅｑｕｉｐｍｅｎｔ）はユーザーに音声及び／又はデータ接続を提供する装置、例えば無線接続機能を有する手持形機器、車載機器等である。よく見られる端末は、例えば携帯電話、タブレットＰＣ、ノートパソコン、携帯情報端末、モバイルインターネットデバイス（ＭＩＤ、ｍｏｂｉｌｅ  ｉｎｔｅｒｎｅｔ  ｄｅｖｉｃｅ）、ウェアラブルデバイス例えばスマートウォッチ、スマートブレスレット、万歩計等を含む。
【００２４】
２）ネットワーク装置はネットワーク側のノード装置を指し、例えば、ネットワーク装置はセルラーネットワークにおけるネットワーク側にアクセスしている無線アクセスネットワーク（ＲＡＮ、Ｒａｄｉｏ  Ａｃｃｅｓｓ  Ｎｅｔｗｏｒｋ）装置であってもよく、所謂ＲＡＮ装置は端末を無線ネットワークにアクセスする装置であり、発展型ノードＢ（ｅＮＢ、ｅｖｏｌｖｅｄ  Ｎｏｄｅ  Ｂ）、無線ネットワーク制御装置（ＲＮＣ、ｒａｄｉｏ  ｎｅｔｗｏｒｋ  ｃｏｎｔｒｏｌｌｅｒ）、ノードＢ（ＮＢ、Ｎｏｄｅ  Ｂ）、基地局制御装置（ＢＳＣ、Ｂａｓｅ  Ｓｔａｔｉｏｎ  Ｃｏｎｔｒｏｌｌｅｒ）、ベーストランシーバ基地局（ＢＴＳ、Ｂａｓｅ  Ｔｒａｎｓｃｅｉｖｅｒ  Ｓｔａｔｉｏｎ）、ホーム基地局（例えば、ＨＮＢ、Ｈｏｍｅ  ｅｖｏｌｖｅｄ  ＮｏｄｅＢ又はＨｏｍｅ  Ｎｏｄｅ  Ｂ）、ベースバンドユニット（ＢＢＵ、ＢａｓｅＢａｎｄ  Ｕｎｉｔ）を含むが、それらに限らず、更に、例えば、ネットワーク装置は無線ローカルエリアネットワーク（ＷＬＡＮ、Ｗｉｒｅｌｅｓｓ  Ｌｏｃａｌ  Ａｒｅａ  Ｎｅｔｗｏｒｋ）におけるノード装置、例えばアクセス制御機構（ＡＣ、ａｃｃｅｓｓ  ｃｏｎｔｒｏｌｌｅｒ）、ゲートウェイ又はＷＩＦＩアクセスポイント（ＡＰ、Ａｃｃｅｓｓ  Ｐｏｉｎｔ）等であってもよい。
【００２５】
３）準静的スケジューリング方式とは、スケジューリング伝送過程において、ｅＮＢが初期のスケジューリングにおいて物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）によってユーザー装置に現在のスケジューリング情報を指示し、ユーザー装置が現在のスケジューリング情報を保存し、一定の周期おきに同じ時間周波数リソース位置においてサービスデータの送信又は受信を行うことを意味する。
【００２６】
４）動的スケジューリングとは、スケジューリングにおいて、媒体アクセス制御（ＭＡＣ、Ｍｅｄｉａ  Ａｃｃｅｓｓ  Ｃｏｎｔｒｏｌ）層（スケジューラ）が時間周波数リソース及び許容する伝送速度をリアルタイム且つ動的に割り当てることを意味する。リソース割り当てはニーズに応じて割り当てる方式、スケジューリングするたびにスケジューリングシグナリングのインタラクションを必要とするスケジューリング方式を用いる。
【００２７】
５）非適応再送信とは、ＨＡＲＱがグラントを行う必要がなく、ユーザー装置が前回の伝送に使用されたリソース及び変調符号化方式でデータの再送を行うことを意味する。
【００２８】
６）適応再送信とは、ＳＰＳ−Ｃ−ＲＮＴＩ（準静的スケジューリングの識別子）マスクのＰＤＣＣＨによってグラントされる伝送の再送を意味する。
【００２９】
７）「複数」とは２つ又は２つ以上を指す。「及び／又は」とは関連オブジェクトの関連関係を説明するためのものであり、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。文字「／」は一般的に前後関連オブジェクトが「又は」関係であることを示す。
【００３０】
以下、図面を参照しながら本願の実施例を説明する。
【００３１】
図１に示すとおり、図１は本願の実施例に開示されるネットワークアーキテクチャの模式図である。図１に示されるネットワークアーキテクチャはユーザー装置１１０及びネットワーク装置１２０を備える。現在、５Ｇ／ＮＲシステムにおいて既に同一ユーザー装置に複数の準静的スケジューリングがあってもよいことが提案され、そうすると、同一ユーザー装置の複数の準静的スケジューリングが衝突する恐れがある。例えば、あるユーザー装置に２つの準静的スケジューリングがあると仮定し、１番目の準静的スケジューリングは第２ｍｓから送信し始め、３ｍｓおきに１回送信し、１番目の準静的スケジューリングの占用する時間周波数リソース位置は２、５、８、１１、１４である。２番目の準静的スケジューリングは第１ｍｓから送信し始め、４ｍｓおきに１回送信し、そうすると２番目の準静的スケジューリングの占用する時間周波数リソース位置は１、５、９、１４である。上記から分かるように、１番目の準静的スケジューリングと２番目の準静的スケジューリングは時間周波数リソース位置５及び１４において衝突している。
【００３２】
上記課題を解決するために、５Ｇ／ＮＲシステムにおいて、ユーザー装置１２０のＨＡＲＱ  ｂｕｆｆｅｒが空ではない場合、ユーザー装置１２０は以前にデータを伝送する際に用いたｇｒａｎｔを選択して再送すべきデータを伝送する。データを再送する際に用いるｇｒａｎｔが以前にデータを伝送する際に用いたｇｒａｎｔと同じであるため、グラントスケジューリングに使用される時間周波数リソース位置も同じである。以前の伝送にスケジューリング衝突問題が生じなかったため、以前にデータを伝送する際に用いたｇｒａｎｔを用いてデータを再送することにより、同一ＵＥの複数の準静的スケジューリングの衝突を回避することができる。また、ユーザー装置１２０のＨＡＲＱ  ｂｕｆｆｅｒが空である場合、ユーザー装置１２０はその許容するキャリアアクセス方式に基づいて現在の１つの準静的スケジューリングのｇｒａｎｔを選択して新規データを伝送するか、又は現在の複数の準静的スケジューリングのｇｒａｎｔを選択して新規データを伝送する。よって、ユーザー装置１２０が複数の準静的スケジューリングのｇｒａｎｔを用いてデータを伝送することを許容しなければ、ユーザー装置１２０は１つのみの準静的スケジューリングのｇｒａｎｔを選択してデータを伝送し、ユーザー装置１２０が複数の準静的スケジューリングのｇｒａｎｔを用いてデータを伝送することを許容すれば、ユーザー装置１２０は複数の準静的スケジューリングのｇｒａｎｔを選択してデータを伝送し、これにより、同一ＵＥの複数の準静的スケジューリングの衝突を回避する。
【００３３】
以下、図１に示されるネットワークアーキテクチャを参照しながら本願の実施例に係るデータ伝送方法を詳しく説明する。
【００３４】
図２に示すとおり、図２は本願の実施例に係るデータ伝送方法のフローチャートであり、以下のステップを含む。
【００３５】
ステップＳ２０１では、ユーザー装置のＨＡＲＱ  ｂｕｆｆｅｒが空ではない場合、ユーザー装置は以前にデータを伝送する際に用いたｇｒａｎｔを選択して再送すべきデータを伝送し、ネットワーク装置はユーザー装置が以前にデータを伝送する際に用いたｇｒａｎｔのリソースを監視し、それによって前記ネットワーク装置は、前記ユーザー装置が前記ユーザー装置のＨＡＲＱ  ｂｕｆｆｅｒが空ではない場合、以前にデータを伝送する際に用いたｇｒａｎｔによって伝送した再送すべきデータを取得する。
【００３６】
一つの例では、ＨＡＲＱ  ｂｕｆｆｅｒが空ではなく、且つ現在では伝送時間間隔（ＴＴＩ、Ｔｒａｎｓｍｉｓｓｉｏｎ  Ｔｉｍｅ  Ｉｎｔｅｒｖａｌ）の動的スケジューリングのｇｒａｎｔに未反転の新規データ指標（ＮＤＩ、Ｎｅｗ  Ｄａｔｅ  Ｉｎｄｉｃａｔｏｒ）がない場合、前記ユーザー装置が以前にデータを伝送する際に用いたｇｒａｎｔを選択して再送すべきデータを伝送する。
【００３７】
具体的に、未反転のＮＤＩの動的スケジューリングｇｒａｎｔがないため、ネットワークがユーザー装置が動的スケジューリングｇｒａｎｔにおいて再送するように要求していないことが分かり、しかしＨＡＲＱ  ｂｕｆｆｅｒが空ではないため、ユーザー装置が再送する必要があることが分かり、従って、ユーザー装置は準静的リソースにおいて再送（すなわち、非適応再送信）するしかない。このような情況で、もし複数の準静的リソースがある場合、ユーザー装置が他の準静的リソースを選択して再送すると、ＴＢＳが異なる恐れがあり、このため、ユーザー装置は元の準静的リソースを選択して再送すべきである。
【００３８】
更に、ＨＡＲＱ  ｂｕｆｆｅｒが空ではなく、且つ現在ではＴＴＩの動的スケジューリングのｇｒａｎｔに未反転のＮＤＩがある場合、前記ユーザー装置が現在の動的スケジューリングのｇｒａｎｔを選択して再送すべきデータを伝送する。
【００３９】
具体的に、未反転のＮＤＩの動的スケジューリングｇｒａｎｔがあると、ネットワークがユーザー装置が再送するのを望み、且つ特別にユーザー装置に１つの動的スケジューリングｇｒａｎｔを送信して、ユーザー装置が動的スケジューリングのｇｒａｎｔにおいて再送（すなわち、適応再送信）するのを望んでいることが分かり、これにより、準静的リソースの欠点（例えば、リソース割り当て及びＭＣＳ固定）を回避する。
【００４０】
一つの例では、以前にデータを伝送する際に用いたｇｒａｎｔが１つの準静的スケジューリングのｇｒａｎｔである場合、前記ユーザー装置が前記１つの準静的スケジューリングのｇｒａｎｔを選択して再送すべきデータを伝送し、ネットワーク装置が前記１つの準静的スケジューリングのｇｒａｎｔのリソースを監視することにより、前記ユーザー装置の伝送した再送すべきデータを取得し、
以前にデータを伝送する際に用いたｇｒａｎｔがＭ個の準静的スケジューリングのｇｒａｎｔである場合、前記ユーザー装置が前記Ｍ個の準静的スケジューリングのｇｒａｎｔを選択して再送すべきデータを伝送し、ネットワーク装置が前記Ｍ個の準静的スケジューリングのｇｒａｎｔのリソースを監視することにより、前記ユーザー装置の伝送した再送すべきデータを取得し、前記Ｍは１より大きい整数である。
【００４１】
具体的に、ユーザー装置のＨＡＲＱ  ｂｕｆｆｅｒが空ではないことは、ユーザー装置からネットワーク装置に送信されたデータには成功に受信されていないデータがあり、ユーザー装置がこれらのネットワーク装置に成功に受信されていないデータをネットワーク装置に再送信する必要があることを示す。５Ｇ／ＮＲシステムにおいて、ユーザー装置が以前にデータを伝送する際に用いた準静的スケジューリングのｇｒａｎｔを選択して再送すべきデータを伝送する。例えば、ユーザー装置がネットワーク装置へパケット１〜パケット１０を送信し、パケット２、パケット３がネットワーク装置に成功に受信されていない。ユーザー装置が以前にデータを伝送する際に用いた準静的スケジューリングのｇｒａｎｔにｇｒａｎｔ１のみがある場合、ユーザー装置はｇｒａｎｔ１を選択してパケット２及びパケット３を伝送する。また、ユーザー装置が以前にデータを伝送する際に用いた準静的スケジューリングのｇｒａｎｔにｇｒａｎｔ２及びｇｒａｎｔ３がある場合、ユーザー装置はｇｒａｎｔ２及びｇｒａｎｔ３を選択してパケット２及びパケット３を伝送する。ユーザー装置が以前にデータを伝送する際に用いた準静的スケジューリングのｇｒａｎｔが複数ある場合、この複数の準静的スケジューリングのｇｒａｎｔのリソースは衝突することがない。
【００４２】
よって、データ再送に用いるｇｒａｎｔが以前にデータを伝送する際に用いたｇｒａｎｔと同じであるため、グラントスケジューリングに使用される時間周波数リソース位置も同じである。以前の伝送にスケジューリング衝突問題が生じなかったため、以前にデータを伝送する際に用いたｇｒａｎｔを用いてデータを再送することにより、同一ＵＥの複数の準静的スケジューリングの衝突を回避することができる。
【００４３】
更に、ユーザー装置が以前にデータを伝送する際に用いた準静的スケジューリングのｇｒａｎｔが複数あって、再送すべきデータも複数ある場合、以前にデータｉを伝送する際に用いた準静的スケジューリングのｇｒａｎｔがｇｒａｎｔ１であれば、ユーザー装置がｇｒａｎｔ１を選択してデータｉを伝送し、前記データｉは再送すべき複数のデータのうちの１つであり、ｇｒａｎｔ１はユーザー装置が以前にデータを伝送する際に用いた複数の準静的スケジューリングのｇｒａｎｔのうちの１つである。例えば、ユーザー装置がネットワーク装置へパケット１〜パケット１０を送信し、パケット２、パケット３がネットワーク装置に成功に受信されていない。ユーザー装置が以前にデータを伝送する際に用いた準静的スケジューリングのｇｒａｎｔにｇｒａｎｔ２及びｇｒａｎｔ３があって、ユーザー装置が以前にｇｒａｎｔ２を用いてパケット２を伝送し、ユーザー装置が以前にｇｒａｎｔ３を用いてパケット３を伝送した場合、再送時には、ユーザー装置は更にｇｒａｎｔ２を選択してパケット２を再送し、ユーザー装置は更にｇｒａｎｔ３を選択してパケット３を再送する。
【００４４】
更に、ユーザー装置が以前にデータを伝送する際に用いた準静的スケジューリングのｇｒａｎｔが複数あって、再送すべきデータも複数ある場合、以前にデータｉを伝送する際に用いた準静的スケジューリングのｇｒａｎｔがｇｒａｎｔ１であれば、ユーザー装置が複数の準静的スケジューリングのｇｒａｎｔのうちのｇｒａｎｔ１以外のｇｒａｎｔを選択してデータｉを伝送し、前記データｉは再送すべき複数のデータのうちの１つであり、ｇｒａｎｔ１はユーザー装置が以前にデータを伝送する際に用いた複数の準静的スケジューリングのｇｒａｎｔのうちの１つである。例えば、ユーザー装置がネットワーク装置へパケット１〜パケット１０を送信し、パケット２、パケット３がネットワーク装置に成功に受信されていない。ユーザー装置が以前にデータを伝送する際に用いた準静的スケジューリングのｇｒａｎｔにｇｒａｎｔ２及びｇｒａｎｔ３があって、ユーザー装置が以前にｇｒａｎｔ２を用いてパケット２を伝送し、ユーザー装置が以前にｇｒａｎｔ３を用いてパケット３を伝送した場合、再送時には、ユーザー装置は依然としてｇｒａｎｔ３を選択してパケット２を再送し、ユーザー装置は依然としてｇｒａｎｔ２を選択してパケット３を再送する。
【００４５】
又は、ステップＳ２０２では、ＨＡＲＱ  ｂｕｆｆｅｒが空である場合、前記ユーザー装置が前記ユーザー装置の許容するキャリアアクセス方式に基づいて現在の１つの準静的スケジューリングのｇｒａｎｔを選択して新規データを伝送し、又は現在の複数の準静的スケジューリングのｇｒａｎｔを選択して新規データを伝送し、前記ネットワーク装置が現在の１つの準静的スケジューリングのｇｒａｎｔ又は現在の複数の準静的スケジューリングのｇｒａｎｔのリソースを監視し、それによって前記ネットワーク装置は、前記ユーザー装置がユーザー装置のＨＡＲＱ  ｂｕｆｆｅｒが空である場合、現在の１つの準静的スケジューリングのｇｒａｎｔ又は現在の複数の準静的スケジューリングのｇｒａｎｔによって伝送した新規データを取得する。
【００４６】
一つの例では、ＨＡＲＱ  ｂｕｆｆｅｒが空であって、現在では準静的スケジューリングのｇｒａｎｔがＮ個あって、且つ前記ユーザー装置がシングルキャリアアクセス方式以外の方式を用いることを許容しなければ、前記ユーザー装置が前記Ｎ個の準静的スケジューリングのｇｒａｎｔのうちの１つのｇｒａｎｔを選択して新規データを伝送し、ネットワーク装置が前記Ｎ個の準静的スケジューリングのｇｒａｎｔのリソースを監視することにより、前記ユーザー装置の伝送した新規データを取得し、前記Ｎは１より大きい整数であり、
ＨＡＲＱ  ｂｕｆｆｅｒが空であって、現在では準静的スケジューリングのｇｒａｎｔがＮ個あって、前記ユーザー装置がシングルキャリアアクセス方式以外の方式を用いることを許容すれば、前記ユーザー装置が前記Ｎ個の準静的スケジューリングのｇｒａｎｔのうちの複数のｇｒａｎｔを選択して新規データを伝送し、ネットワーク装置が前記Ｎ個の準静的スケジューリングのｇｒａｎｔのリソースを監視することにより、前記ユーザー装置の伝送した新規データを取得する。
【００４７】
具体的に、ユーザー装置のＨＡＲＱ  ｂｕｆｆｅｒが空であることは、ユーザー装置がネットワーク装置へ再送する必要があるデータがないことを示す。５Ｇ／ＮＲシステムにおいて、現在ではユーザー装置に準静的スケジューリングのｇｒａｎｔがＮ個あるが、ユーザー装置は現在の状況ではユーザー装置がシングルキャリアアクセス方式以外の方式を用いることを許容しなければ（シングルキャリアアクセス方式以外の方式はシングルキャリアアクセス方式に比べてより高い送信電力及びより高い信号対雑音比を必要とし、且つ耐干渉性がシングルキャリアより低く、ユーザー装置がセルのエッジに位置する場合、ユーザー装置の現在のネットワーク状況が悪いため、ユーザー装置は現在の状況ではユーザー装置がシングルキャリアアクセス方式以外の方式を用いることを許容しない）、ユーザー装置がこのＮ個の準静的スケジューリングのｇｒａｎｔから１つのｇｒａｎｔを選択して新規データを伝送する。現在ではユーザー装置に準静的スケジューリングのｇｒａｎｔがＮ個あって、ユーザー装置は現在の状況ではユーザー装置がシングルキャリアアクセス方式以外の方式を用いることを許容すれば、ユーザー装置がこのＮ個の準静的スケジューリングのｇｒａｎｔから複数のｇｒａｎｔを選択して新規データを伝送する。
【００４８】
上記から分かるように、ユーザー装置が複数の準静的スケジューリングのｇｒａｎｔを用いてデータを伝送することを許容しなければ、ユーザー装置が１つのみの準静的スケジューリングのｇｒａｎｔを選択してデータを伝送し、ユーザー装置が複数の準静的スケジューリングのｇｒａｎｔを用いてデータを伝送することを許容すれば、ユーザー装置が複数の準静的スケジューリングのｇｒａｎｔを選択してデータを伝送し、これにより、同一ＵＥの複数の準静的スケジューリングの衝突を回避する。
【００４９】
更に、ユーザー装置がこのＮ個の準静的スケジューリングのｇｒａｎｔから複数のｇｒａｎｔを選択して新規データを伝送する場合、この複数のｇｒａｎｔは時間周波数リソース位置の隣接する複数のｇｒａｎｔであってもよい。例えば、Ｎ個の準静的スケジューリングのｇｒａｎｔにｇｒａｎｔ１、ｇｒａｎｔ２、ｇｒａｎｔ３、ｇｒａｎｔ４及びｇｒａｎｔ５があって、ｇｒａｎｔ２、ｇｒａｎｔ３及びｇｒａｎｔ４の時間周波数リソース位置が隣接する場合、ユーザー装置がｇｒａｎｔ２、ｇｒａｎｔ３及びｇｒａｎｔ４を選択して新規データを伝送する。
【００５０】
更に、ユーザー装置がこのＮ個の準静的スケジューリングのｇｒａｎｔから複数のｇｒａｎｔを選択して新規データを伝送する場合、この複数のｇｒａｎｔは伝送ブロックサイズ（ＴＢＳ、ｔｒａｎｓｍｉｓｓｉｏｎ−ｂｌｏｃｋ  ｓｉｚｅ）が所定閾値を超えた複数のｇｒａｎｔであってもよい。例えば、Ｎ個の準静的スケジューリングのｇｒａｎｔにｇｒａｎｔ１、ｇｒａｎｔ２、ｇｒａｎｔ３、ｇｒａｎｔ４及びｇｒａｎｔ５があって、この５つのｇｒａｎｔのうちのＴＢＳが所定閾値を超えたｇｒａｎｔはｇｒａｎｔ２、ｇｒａｎｔ３及びｇｒａｎｔ４である場合、ユーザー装置がｇｒａｎｔ２、ｇｒａｎｔ３及びｇｒａｎｔ４を選択して新規データを伝送する。
【００５１】
一つの例では、前記ユーザー装置が前記Ｎ個の準静的スケジューリングのｇｒａｎｔのうちのＴＢＳの最も大きいｇｒａｎｔを選択して新規データを伝送し、ネットワーク装置が前記Ｎ個の準静的スケジューリングのｇｒａｎｔのうちのＴＢＳの最も大きいｇｒａｎｔのリソースを監視することにより、前記ユーザー装置の伝送した新規データを取得する。例えば、Ｎ個の準静的スケジューリングのｇｒａｎｔにｇｒａｎｔ１、ｇｒａｎｔ２、ｇｒａｎｔ３、ｇｒａｎｔ４及びｇｒａｎｔ５があって、この５つのｇｒａｎｔのうちのＢＳの最も大きいｇｒａｎｔがｇｒａｎｔ５である場合、ユーザー装置がｇｒａｎｔ５を選択して新規データを伝送する。
【００５２】
具体的に、ユーザー装置に複数の準静的スケジューリングのｇｒａｎｔがある場合、ネットワーク装置はユーザー装置がどのｇｒａｎｔを用いてデータを伝送するかを把握しなければ、ネットワーク装置はＮ個の準静的スケジューリングのｇｒａｎｔのリソースを監視する必要があり、そうするとネットワーク装置の消費電力が比較的に大きく、従って、ユーザー装置が１つのみの準静的スケジューリングのｇｒａｎｔを選択してデータを伝送できる場合、ＴＢＳの最も大きいｇｒａｎｔを選択し、ネットワーク装置がこのＴＢＳの最も大きいｇｒａｎｔのリソースのみを監視すると事前に約束すればよく、それによって、ネットワーク装置のオーバーヘッドを低減する。
【００５３】
一つの例では、前記ユーザー装置が前記Ｎ個の準静的スケジューリングのｇｒａｎｔのうちのインデックス値（Ｉｎｄｅｘ）の最も大きい又は最も小さいｇｒａｎｔを選択して新規データを伝送し、ネットワーク装置が前記Ｎ個の準静的スケジューリングのｇｒａｎｔのうちのＩｎｄｅｘの最も大きい又は最も小さいｇｒａｎｔのリソースを監視することにより、前記ユーザー装置の伝送した新規データを取得する。例えば、Ｎ個の準静的スケジューリングのｇｒａｎｔにｇｒａｎｔ１、ｇｒａｎｔ２、ｇｒａｎｔ３、ｇｒａｎｔ４及びｇｒａｎｔ５があって、この５つのｇｒａｎｔのＩｎｄｅｘがそれぞれ１〜５である場合、Ｉｎｄｅｘの最も大きいｇｒａｎｔはｇｒａｎｔ５であり、Ｉｎｄｅｘの最も小さいｇｒａｎｔはｇｒａｎｔ１であり、そうするとユーザー装置がｇｒａｎｔ１又はｇｒａｎｔ５を選択して新規データを伝送する。
【００５４】
具体的に、ユーザー装置に複数の準静的スケジューリングのｇｒａｎｔがある場合、ネットワーク装置はユーザー装置がどのｇｒａｎｔを用いてデータを伝送するかを把握しなければ、ネットワーク装置はＮ個の準静的スケジューリングのｇｒａｎｔのリソースを監視する必要があり、そうするとネットワーク装置の消費電力が比較的大きく、従って、ユーザー装置が１つのみの準静的スケジューリングのｇｒａｎｔを選択してデータを伝送できる場合、Ｉｎｄｅｘの最も大きい又は最も小さいｇｒａｎｔを選択し、ネットワーク装置がこのＩｎｄｅｘの最も大きい又は最も小さいｇｒａｎｔのリソースのみを監視すると事前に約束すればよく、それによってネットワーク装置のオーバーヘッドを低減する。
【００５５】
一つの例では、ＨＡＲＱ  ｂｕｆｆｅｒが空であって、現在では動的スケジューリングのｇｒａｎｔがある場合、前記ユーザー装置が現在の動的スケジューリングのｇｒａｎｔを選択して新規データを伝送し、ネットワーク装置が現在の動的スケジューリングのｇｒａｎｔのリソースを監視することにより、前記ユーザー装置の伝送した新規データを取得する。動的スケジューリングはリアルタイムに調整することができるため、ユーザー装置に現在では動的スケジューリングのｇｒａｎｔがある場合、ユーザー装置が該動的スケジューリングのｇｒａｎｔを選択して新規データを伝送することにより、リソースが衝突しないように確保することができる。
【００５６】
図３に示すとおり、図３には本発明の実施例に係るユーザー装置３００を示し、１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように構成され、
前記プログラムは、
ハイブリッド自動再送要求バッファ（ＨＡＲＱ  ｂｕｆｆｅｒ）が空ではない場合、以前にデータを伝送する際に用いたアップリンクリソースグラント（ｇｒａｎｔ）を選択して再送すべきデータを伝送するステップ、又は、
ＨＡＲＱ  ｂｕｆｆｅｒが空である場合、前記ユーザー装置の許容するキャリアアクセス方式に基づいて現在の１つの準静的スケジューリングのｇｒａｎｔを選択して新規データを伝送し、又は現在の複数の準静的スケジューリングのｇｒａｎｔを選択して新規データを伝送するステップを実行するための命令を含む。
【００５７】
一つの例では、前記プログラムは、具体的に、
ＨＡＲＱ  ｂｕｆｆｅｒが空であって、現在では準静的スケジューリングのｇｒａｎｔがＮ個あって、且つ前記ユーザー装置がシングルキャリアアクセス方式以外の方式を用いることを許容しなければ、前記Ｎ個の準静的スケジューリングのｇｒａｎｔのうちの１つのｇｒａｎｔを選択して新規データを伝送し、前記Ｎは１より大きい整数であり、
ＨＡＲＱ  ｂｕｆｆｅｒが空であって、現在では準静的スケジューリングのｇｒａｎｔがＮ個あって、且つ前記ユーザー装置がシングルキャリアアクセス方式以外の方式を用いることを許容すれば、前記Ｎ個の準静的スケジューリングのｇｒａｎｔのうちの複数のｇｒａｎｔを選択して新規データを伝送するステップを実行するための命令。
【００５８】
一つの例では、前記プログラムは、更に、
ＨＡＲＱ  ｂｕｆｆｅｒが空であって、現在では動的スケジューリングのｇｒａｎｔがある場合、現在の動的スケジューリングのｇｒａｎｔを選択して新規データを伝送するステップを実行するための命令。
【００５９】
一つの例では、前記プログラムは、具体的に、
前記Ｎ個の準静的スケジューリングのｇｒａｎｔのうちの伝送ブロックサイズ（ＴＢＳ）の最も大きいｇｒａｎｔを選択して新規データを伝送するステップを実行するための命令。
【００６０】
一つの例では、前記プログラムは、具体的に、
前記Ｎ個の準静的スケジューリングのｇｒａｎｔのうちのインデックス値（Ｉｎｄｅｘ）の最も大きい又は最も小さいｇｒａｎｔを選択して新規データを伝送するステップを実行するための命令。
【００６１】
一つの例では、前記プログラムは、具体的に、
ＨＡＲＱ  ｂｕｆｆｅｒが空ではなく、且つ現在では伝送時間間隔（ＴＴＩ）の動的スケジューリングのｇｒａｎｔに未反転の新規データ指標ＮＤＩがない場合、以前にデータを伝送する際に用いたｇｒａｎｔを選択して再送すべきデータを伝送するステップを実行するための命令。
【００６２】
一つの例では、前記プログラムは、更に、
ＨＡＲＱ  ｂｕｆｆｅｒが空ではなく、且つ現在ではＴＴＩの動的スケジューリングのｇｒａｎｔに未反転のＮＤＩがある場合、現在の動的スケジューリングのｇｒａｎｔを選択して再送すべきデータを伝送するステップを実行するための命令。
【００６３】
上記から分かるように、本解決手段では、ユーザー装置のＨＡＲＱ  ｂｕｆｆｅｒが空ではない場合、データ再送に用いるｇｒａｎｔが以前にデータを伝送する際に用いたｇｒａｎｔと同じであるため、同一ＵＥの複数の準静的スケジューリングの衝突を回避する。また、ＨＡＲＱ  ｂｕｆｆｅｒが空である場合、ユーザー装置が複数の準静的スケジューリングのｇｒａｎｔを用いてデータを伝送することを許容しなければ、ユーザー装置が１つのみの準静的スケジューリングのｇｒａｎｔを選択してデータを伝送し、ユーザー装置が複数の準静的スケジューリングのｇｒａｎｔを用いてデータを伝送することを許容すれば、ユーザー装置が複数の準静的スケジューリングのｇｒａｎｔを選択してデータを伝送し、これにより、同一ＵＥの複数の準静的スケジューリングの衝突を回避する。
【００６４】
図４に示すとおり、図４には本発明の実施例に係るネットワーク装置４００を示し、１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように構成され、
前記プログラムは、
ユーザー装置が以前にデータを伝送する際に用いたアップリンクリソースグラント（ｇｒａｎｔ）のリソースを監視することにより、前記ユーザー装置の、ハイブリッド自動再送要求バッファ（ＨＡＲＱ  ｂｕｆｆｅｒ）が空ではない場合、以前にデータを伝送する際に用いたｇｒａｎｔによって伝送する再送すべきデータを取得するステップ、又は、
現在の１つの準静的スケジューリングのｇｒａｎｔ又は現在の複数の準静的スケジューリングのｇｒａｎｔのリソースを監視することにより、前記ユーザー装置の、ＨＡＲＱ  ｂｕｆｆｅｒが空である場合、現在の１つの準静的スケジューリングのｇｒａｎｔ又は現在の複数の準静的スケジューリングのｇｒａｎｔによって伝送した新規データを取得するステップを実行するための命令を含む。
【００６５】
一つの例では、前記プログラムは、更に、
現在の動的スケジューリングのｇｒａｎｔのリソースを監視することにより、前記ユーザー装置の、ＨＡＲＱ  ｂｕｆｆｅｒが空であって、且つ現在では動的スケジューリングのｇｒａｎｔがある場合、現在の動的スケジューリングのｇｒａｎｔによって伝送した新規データを取得するステップを実行するための命令。
【００６６】
一つの例では、現在では準静的スケジューリングのｇｒａｎｔがＮ個あり、前記Ｎは１より大きい整数であり、前記プログラムは、具体的に、
現在の前記Ｎ個の準静的スケジューリングのｇｒａｎｔのうちの伝送ブロックサイズ（ＴＢＳ）の最も大きいｇｒａｎｔのリソースを監視するステップを実行するための命令。
【００６７】
一つの例では、現在では準静的スケジューリングのｇｒａｎｔがＮ個あり、前記Ｎは１より大きい整数であり、前記プログラムは、具体的に、
現在の前記Ｎ個の準静的スケジューリングのｇｒａｎｔのうちのインデックス値（Ｉｎｄｅｘ）の最も大きい又は最も小さいｇｒａｎｔのリソースを監視するステップを実行するための命令。
【００６８】
一つの例では、前記プログラムは、更に、
現在の動的スケジューリングのｇｒａｎｔのリソースを監視することにより、前記ユーザー装置の、ＨＡＲＱ  ｂｕｆｆｅｒが空ではなく、且つ現在では伝送時間間隔（ＴＴＩ）の動的スケジューリングのｇｒａｎｔに未反転のＮＤＩがある場合、現在の動的スケジューリングのｇｒａｎｔによって伝送した再送すべきデータを取得するステップを実行するための命令。
【００６９】
上記から分かるように、本解決手段では、ユーザー装置のＨＡＲＱ  ｂｕｆｆｅｒが空ではない場合、データ再送に用いるｇｒａｎｔが以前にデータを伝送する際に用いたｇｒａｎｔと同じであるため、同一ＵＥの複数の準静的スケジューリングの衝突を回避する。また、ＨＡＲＱ  ｂｕｆｆｅｒが空である場合、ユーザー装置が複数の準静的スケジューリングのｇｒａｎｔを用いてデータを伝送することを許容しなければ、ユーザー装置が１つのみの準静的スケジューリングのｇｒａｎｔを選択してデータを伝送し、ユーザー装置が複数の準静的スケジューリングのｇｒａｎｔを用いてデータを伝送することを許容すれば、ユーザー装置が複数の準静的スケジューリングのｇｒａｎｔを選択してデータを伝送し、これにより、同一ＵＥの複数の準静的スケジューリングの衝突を回避する。
【００７０】
図５に示すとおり、図５は本実施例に係るユーザー装置５００の構造模式図である。該ユーザー装置５００は処理ユニット５０１、通信ユニット５０２及び記憶ユニット５０３を備え、
前記処理ユニット５０１はハイブリッド自動再送要求バッファ（ＨＡＲＱ  ｂｕｆｆｅｒ）が空ではない場合、前記通信ユニット５０２によって以前にデータを伝送する際に用いたアップリンクリソースグラント（ｇｒａｎｔ）を選択して再送すべきデータを伝送し、又は、ＨＡＲＱ  ｂｕｆｆｅｒが空である場合、前記通信ユニット５０２によって前記ユーザー装置の許容するキャリアアクセス方式に基づいて現在の１つの準静的スケジューリングのｇｒａｎｔを選択して新規データを伝送し、又は現在の複数の準静的スケジューリングのｇｒａｎｔを選択して新規データを伝送することに用いられる。
【００７１】
処理ユニット５０１はプロセッサ又はコントローラであってもよい（例えば、中央処理装置（ＣＰＵ、Ｃｅｎｔｒａｌ  Ｐｒｏｃｅｓｓｉｎｇ  Ｕｎｉｔ）、汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本発明に開示される内容を参照して説明される様々な例示的な論理ブロック、モジュール及び回路を実現又は実行することができる。前記プロセッサは更に計算機能を実現する組み合わせ、例えば１つ又は複数のマイクロプロセッサを含む組み合わせ、ＤＳＰとマイクロプロセッサの組み合わせ等であってもよい）。通信ユニット５０２は送受信機、送受信回路、無線周波数チップ、通信インターフェース等であってもよく、記憶ユニット５０３はメモリであってもよい。
【００７２】
処理ユニット５０１がプロセッサであり、通信ユニット５０２が通信インターフェースであり、記憶ユニット５０３がメモリである場合、本発明の実施例に関わるユーザー装置は図３に示されるユーザー装置であってもよい。
【００７３】
図６に示すとおり、図６は本実施例に係るネットワーク装置６００の構造模式図である。該ネットワーク装置６００は処理ユニット６０１、通信ユニット６０２及び記憶ユニット６０３を備え、
前記処理ユニット６０１は前記通信ユニット６０２によってユーザー装置が以前にデータを伝送する際に用いたアップリンクリソースグラント（ｇｒａｎｔ）のリソースを監視することにより、前記ユーザー装置の、ハイブリッド自動再送要求バッファ（ＨＡＲＱ  ｂｕｆｆｅｒ）が空ではない場合、以前にデータを伝送する際に用いたｇｒａｎｔによって伝送した再送すべきデータを取得し、又は、前記通信ユニット６０２によって現在の１つの準静的スケジューリングのｇｒａｎｔ又は現在の複数の準静的スケジューリングのｇｒａｎｔのリソースを監視することにより、前記ユーザー装置の、ＨＡＲＱ  ｂｕｆｆｅｒが空である場合、現在の１つの準静的スケジューリングのｇｒａｎｔ又は現在の複数の準静的スケジューリングのｇｒａｎｔによって伝送した新規データを取得することに用いられる。
【００７４】
処理ユニット６０１はプロセッサ又はコントローラであってもよい（例えば、中央処理装置（ＣＰＵ、Ｃｅｎｔｒａｌ  Ｐｒｏｃｅｓｓｉｎｇ  Ｕｎｉｔ）、汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本発明に開示される内容を参照して説明される様々な例示的な論理ブロック、モジュール及び回路を実現又は実行することができる。前記プロセッサは更に計算機能を実現する組み合わせ、例えば１つ又は複数のマイクロプロセッサを含む組み合わせ、ＤＳＰとマイクロプロセッサの組み合わせ等であってもよい）。通信ユニット６０２は送受信機、送受信回路、無線周波数チップ、通信インターフェース等であってもよく、記憶ユニット６０３はメモリであってもよい。
【００７５】
処理ユニット６０１がプロセッサであり、通信ユニット６０２が通信インターフェースであり、記憶ユニット６０３がメモリである場合、本発明の実施例に関わるネットワーク装置は図４に示されるネットワーク装置であってもよい。
【００７６】
本発明の実施例は更に別のユーザー装置を提供し、図７に示すように、説明の都合上、本発明の実施例に関連する部分のみを示し、具体的に示されていない技術詳細については、本発明の実施例の方法部分を参照してもよい。該ユーザー装置は携帯電話、タブレットＰＣ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、販売端末）、車載コンピュータ等を含む任意のユーザー装置であってもよく、ユーザー装置が携帯電話である場合を例とする。
図７に示すのは本発明の実施例に係るユーザー装置に関連する携帯電話の構造の一部のブロック図である。図７に示すように、携帯電話は無線周波数（ＲＦ、Ｒａｄｉｏ  Ｆｒｅｑｕｅｎｃｙ）回路９１０、メモリ９２０、入力ユニット９３０、表示ユニット９４０、センサ９５０、オーディオ回路９６０、ワイヤレスフィデリティ（ＷｉＦｉ、Ｗｉｒｅｌｅｓｓ  Ｆｉｄｅｌｉｔｙ）モジュール９７０、プロセッサ９８０及び電源９９０等の部材を備える。当業者であれば、図７に示される携帯電話の構造は携帯電話を制限するためのものではなく、図示より多い又は少ない部材を備えても、又はいくつかの部材を組み合わせても、又は異なる部材配置であってもよいと理解できる。
【００７７】
以下、図７を参照しながら携帯電話の各構成部材を具体的に説明する。
【００７８】
ＲＦ回路９１０は情報の受信及び送信に使用されてもよい。一般的に、ＲＦ回路９１０はアンテナ、少なくとも１つの増幅器、送受信機、結合器、低雑音増幅器（ＬＮＡ、Ｌｏｗ  Ｎｏｉｓｅ  Ａｍｐｌｉｆｉｅｒ）、デュプレクサ等を含むが、それらに限らない。なお、ＲＦ回路９１０は更に無線通信によってネットワーク及び他の装置と通信することができる。上記無線通信はいずれか１つの通信規格又はプロトコルを用いてもよく、前記通信規格又はプロトコルはモバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ、Ｇｅｎｅｒａｌ  Ｐａｃｋｅｔ  Ｒａｄｉｏ  Ｓｅｒｖｉｃｅ）、符号分割多元接続（ＣＤＭＡ、Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）、ロングタームエボリューション（ＬＴＥ、Ｌｏｎｇ  Ｔｅｒｍ  Ｅｖｏｌｕｔｉｏｎ）、電子メール、ショットメッセージサービス（ＳＭＳ、Ｓｈｏｒｔ  Ｍｅｓｓａｇｉｎｇ  Ｓｅｒｖｉｃｅ）等を含むが、それらに限らない。
【００７９】
メモリ９２０はソフトウェアプログラム及びモジュールを記憶することに用いられてもよく、プロセッサ９８０はメモリ９２０に記憶されるソフトウェアプログラム及びモジュールを実行することにより、携帯電話の様々な機能アプリケーション及びデータ処理を実行する。メモリ９２０は主にプログラム記憶領域及びデータ記憶領域を備えてもよく、プログラム記憶領域はオペレーティングシステム、少なくとも１つの機能に必要なアプリケーションプログラム等を記憶することができ、データ記憶領域は携帯電話の使用に応じて新規作成されたデータ等を記憶することができる。なお、メモリ９２０は高速ランダムアクセスメモリを含んでもよく、更に不揮発性メモリ、例えば少なくとも１つの磁気ディスク記憶装置、フラッシュメモリデバイス、又は他の揮発性固体記憶装置を含んでもよい。
【００８０】
入力ユニット９３０は入力された数字又は文字情報を受信して、携帯電話のユーザー設定及び機能制御に関連するキー信号入力を発生させることに用いられる。具体的に、入力ユニット９３０は指紋認識モジュール９３１及び他の入力装置９３２を備えてもよい。指紋認識モジュール９３１はユーザーのその上における指紋データを収集することができる。指紋認識モジュール９３１以外に、入力ユニット９３０は更に他の入力装置９３２を備えてもよい。具体的に、他の入力装置９３２はタッチパネル、物理キーボード、機能キー（例えば、音量制御キー、スイッチキー等）、トラックボール、マウス、操作レバー等のうちの１つ又は複数を含んでもよいが、それらに限らない。
【００８１】
表示ユニット９４０はユーザーの入力した情報又はユーザーに提供した情報及び携帯電話の様々なメニューを表示することに用いられてもよい。表示ユニット９４０はディスプレイ９４１を備えてもよく、選択肢として、液晶ディスプレイ（ＬＣＤ、Ｌｉｑｕｉｄ  Ｃｒｙｓｔａｌ  Ｄｉｓｐｌａｙ）、有機発光ダイオード（ＯＬＥＤ、Ｏｒｇａｎｉｃ  Ｌｉｇｈｔ−Ｅｍｉｔｔｉｎｇ  Ｄｉｏｄｅ）等の形式でディスプレイ９４１を設定してもよい。図７では、指紋認識モジュール９３１及びディスプレイ９４１が２つの独立した部材として携帯電話の入力及び入力機能を実現するが、いくつかの実施例では、指紋認識モジュール９３１及びディスプレイ９４１を統合して携帯電話の入力及び再生機能を実現してもよい。
【００８２】
携帯電話は更に少なくとも１種類のセンサ９５０、例えば光センサ、運動センサ及び他のセンサを備えてもよい。具体的に、光センサは環境光センサ及び接近センサを含んでもよく、環境光センサは環境光の輝度に応じてディスプレイ９４１の輝度を調整することができ、接近センサは携帯電話が耳元に移動するとき、ディスプレイ９４１及び／又はバックライトをオフにすることができる。運動センサの１種類として、加速度センサは各方向（一般的に３軸）における加速度の大きさを検出することができ、静止時には重力の大きさ及び方向を検出することができ、携帯電話の姿勢を認識するアプリケーション（例えば、水平画面と垂直画面の切り替え、関連ゲーム、磁力計の姿勢較正）、振動認識に関連する機能（例えば、万歩計、ハンマリング）等に使用されてもよく、携帯電話に更に配置できるジャイロスコープ、気圧計、湿度計、温度計、赤外線センサ等の他のセンサについては、詳細な説明は省略する。
【００８３】
オーディオ回路９６０、拡声器９６１、マイクロフォン９６２はユーザーと携帯電話との間のオーディオインターフェースを提供することができる。オーディオ回路９６０は受信されたオーディオデータを変換した電気信号を拡声器９６１に伝送することができ、拡声器９６１によって音声信号に変換して再生し、一方、マイクロフォン９６２は収集された音声信号を電気信号に変換し、オーディオ回路９６０に受信されてからオーディオデータに変換し、更にオーディオデータをプロセッサ９８０に再生して処理した後、ＲＦ回路９１０を介して例えば他の携帯電話に送信し、又は、さらなる処理をするために、オーディオデータをメモリ９２０に再生する。
【００８４】
ＷｉＦｉは近距離無線伝送技術に属し、携帯電話はＷｉＦｉモジュール９７０によってユーザーが電子メールを送受信し、ホームページをブラウジングし及びストリーミングメディアにアクセスする等に役立ち、ユーザーに無線ブロードバンドインターネットアクセスを提供する。図７にはＷｉＦｉモジュール９７０を示すが、前記ＷｉＦｉモジュール９７０は携帯電話の必須構造に属さず、必要に応じて発明の本質を変えない範囲内で省略してもよいと理解できる。
【００８５】
プロセッサ９８０は携帯電話の制御センターであり、様々なインターフェース及び回路を利用して携帯電話全体の各部分に接続され、メモリ９２０に記憶されるソフトウェアプログラム及び／又はモジュールを実行し、及びメモリ９２０に記憶されるデータを呼び出すことにより、携帯電話の様々な機能及び処理データを実行し、これにより、携帯電話全体を監視・コントロールする。選択肢として、プロセッサ９８０は１つ又は複数の処理ユニットを備えてもよく、好ましくは、プロセッサ９８０はアプリケーションプロセッサ及びモデムプロセッサを統合してもよく、アプリケーションプロセッサは主にオペレーティングシステム、ユーザーインターフェース及びアプリケーションプログラム等を処理し、モデムプロセッサは主に無線通信を処理する。上記モデムプロセッサはプロセッサ９８０に統合されなくてもよいと理解できる。
【００８６】
携帯電話は更に各部材に給電する電源９９０（例えば、電池）を備え、好ましくは、電源は電源管理システムによってプロセッサ９８０に論理的に接続されてもよく、それにより電源管理システムによって充電、放電管理及び電力消費管理等の機能を実現する。
【００８７】
図示しないが、携帯電話は更にカメラ、ブルートゥースモジュール等を備えてもよく、ここで詳細な説明は省略する。
【００８８】
上記図２に示される実施例では、各ステップ方法におけるユーザー装置側のプロセスは該携帯電話の構造によって実現できる。
【００８９】
上記図５に示される実施例では、各ユニット機能は該携帯電話の構造によって実現できる。
【００９０】
本発明の実施例は更にコンピュータ可読記憶媒体を提供し、前記コンピュータ可読記憶媒体は電子データを交換するためのコンピュータプログラムを記憶し、前記コンピュータプログラムによってコンピュータが上記方法実施例におけるユーザー装置に説明される一部又は全部のステップを実行する。
【００９１】
本発明の実施例は更にコンピュータ可読記憶媒体を提供し、前記コンピュータ可読記憶媒体は電子データを交換するためのコンピュータプログラムを記憶し、前記コンピュータプログラムによってコンピュータが上記方法実施例におけるネットワーク装置に説明される一部又は全部のステップを実行する。
【００９２】
本発明の実施例は更にコンピュータプログラム製品を提供し、前記コンピュータプログラム製品はコンピュータプログラムが記憶される非一時的なコンピュータ可読記憶媒体を備え、前記コンピュータプログラムによってコンピュータが上記方法におけるユーザー装置に説明される一部又は全部のステップを実行するように操作することができる。該コンピュータプログラム製品は１つのソフトウェアインストールパッケージであってもよい。
【００９３】
本発明の実施例は更にコンピュータプログラム製品を提供し、前記コンピュータプログラム製品はコンピュータプログラムが記憶される非一時的なコンピュータ可読記憶媒体を備え、前記コンピュータプログラムはコンピュータが上記方法実施例におけるネットワーク装置に説明される一部又は全部のステップを実行するように操作することができる。該コンピュータプログラム製品は１つのソフトウェアインストールパッケージであってもよい。
【００９４】
本発明の実施例に説明される方法又はアルゴリズムのステップはハードウェアの方式で実現されてもよいし、プロセッサがソフトウェア命令を実行することで実現されてもよい。ソフトウェア命令は対応するソフトウェアモジュールで構成されてもよく、ソフトウェアモジュールはランダムアクセスメモリ（ＲＡＭ、Ｒａｎｄｏｍ  Ａｃｃｅｓｓ  Ｍｅｍｏｒｙ）、フラッシュメモリ、読み出し専用メモリ（ＲＯＭ、Ｒｅａｄ  Ｏｎｌｙ  Ｍｅｍｏｒｙ）、消去可能プログラム可能読み出し専用メモリ（ＥＰＲＯＭ、Ｅｒａｓａｂｌｅ  Ｐｒｏｇｒａｍｍａｂｌｅ  ＲＯＭ）、電気的消去可能プログラム可能読み出し専用メモリ（ＥＥＰＲＯＭ、Ｅｌｅｃｔｒｉｃａｌｌｙ  ＥＰＲＯＭ）、レジスタ、ハードディスク、ポータブルハードディスク、読み出し専用光ディスク（ＣＤ−ＲＯＭ）又は本分野でよく知られている如何なる他の形式の記憶媒体に記憶されてもよい。例示的な記憶媒体がプロセッサに結合されることにより、プロセッサは該記憶媒体から情報を読み取り、且つ該記憶媒体に情報を書き込むことができる。当然ながら、記憶媒体は更にプロセッサの構成部分であってもよい。プロセッサ及び記憶媒体はＡＳＩＣに位置してもよい。また、該ＡＳＩＣはアクセスネットワーク装置、目標ネットワーク装置又はコアネットワーク装置に位置してもよい。当然ながら、プロセッサ及び記憶媒体は個別コンポーネントとしてアクセスネットワーク装置、目標ネットワーク装置又はコアネットワーク装置に位置しもよい。
【００９５】
当業者であれば意識できるはずのように、上記１つ又は複数の例では、本発明の実施例に説明される機能はソフトウェア、ハードウェア、ファームウェア又はそれらの任意の組み合わせで全体的又は部分的に実現されてもよい。ソフトウェアで実現されるとき、コンピュータプログラム製品の形式で全体的又は部分的に実現されてもよい。前記コンピュータプログラム製品は１つ又は複数のコンピュータ命令を含む。コンピュータにおいて前記コンピュータプログラム命令をロード・実行するとき、本発明の実施例に記載のプロセス又は機能を全体的又は部分的に発生させる。前記コンピュータは汎用コンピュータ、専用コンピュータ、コンピュータネットワーク又は他のプログラム可能装置であってもよい。前記コンピュータ命令はコンピュータ可読記憶媒体に記憶され、又は一方のコンピュータ可読記憶媒体から他方のコンピュータ可読記憶媒体に伝送されてもよく、例えば、前記コンピュータ命令は一方のウェブサイト、コンピュータ、サーバ又はデータセンターから有線（例えば、同軸ケーブル、光ファイバー、デジタル加入者回線（ＤＳＬ、Ｄｉｇｉｔａｌ  Ｓｕｂｓｃｒｉｂｅｒ  Ｌｉｎｅ））又は無線（例えば、赤外線、無線、マイクロ波等）方式で他方のウェブサイト、コンピュータ、サーバ又はデータセンターに伝送されてもよい。前記コンピュータ可読記憶媒体はコンピュータのアクセスできる如何なる利用可能な媒体又は１つ又は複数の利用可能な媒体からなるサーバ、データセンター等のデータ記憶装置であってもよい。前記利用可能な媒体は磁気媒体（例えば、フロッピーディスク、ハードディスク、磁気テープ）、光媒体（例えば、デジタルビデオディスク（ＤＶＤ、Ｄｉｇｉｔａｌ  Ｖｉｄｅｏ  Ｄｉｓｃ））又は半導体媒体（例えば、ソリッドステートディスク（ＳＳＤ、Ｓｏｌｉｄ  Ｓｔａｔｅ  Ｄｉｓｋ））等であってもよい。
【００９６】
以上に記載した具体的な実施形態は本発明の実施例の目的、技術案及び有益な効果を更に詳しく説明したものであり、以上の説明は本発明の実施例の具体的な実施形態に過ぎず、本発明の実施例の保護範囲を制限するためのものではなく、本発明の実施例の技術案に基づいて行ったいかなる修正、等価置換、改良等は、いずれも本発明の実施例の保護範囲内に含まれるべきであると理解すべきである。
【図１】
2020529747.tif 000003
【図２】
2020529747.tif 000004
【図３】
2020529747.tif 000005
【図４】
2020529747.tif 000006
【図５】
2020529747.tif 000007
【図６】
2020529747.tif 000008
【図７】
2020529747.tif 000009
【手続補正書】
【提出日】令和2年5月27日(2020.5.27)
【手続補正１】
【補正対象書類名】明細書
【補正対象項目名】００３１
【補正方法】変更
【補正の内容】
【００３１】
図１に示すとおり、図１は本願の実施例に開示されるネットワークアーキテクチャの模式図である。図１に示されるネットワークアーキテクチャはネットワーク装置１１０及びユーザー装置１２０を備える。現在、５Ｇ／ＮＲシステムにおいて既に同一ユーザー装置に複数の準静的スケジューリングがあってもよいことが提案され、そうすると、同一ユーザー装置の複数の準静的スケジューリングが衝突する恐れがある。例えば、あるユーザー装置に２つの準静的スケジューリングがあると仮定し、１番目の準静的スケジューリングは第２ｍｓから送信し始め、３ｍｓおきに１回送信し、１番目の準静的スケジューリングの占用する時間周波数リソース位置は２、５、８、１１、１４である。２番目の準静的スケジューリングは第１ｍｓから送信し始め、４ｍｓおきに１回送信し、そうすると２番目の準静的スケジューリングの占用する時間周波数リソース位置は１、５、９、１４である。上記から分かるように、１番目の準静的スケジューリングと２番目の準静的スケジューリングは時間周波数リソース位置５及び１４において衝突している。
【手続補正２】
【補正対象書類名】明細書
【補正対象項目名】００３６
【補正方法】変更
【補正の内容】
【００３６】
一つの例では、ＨＡＲＱ  ｂｕｆｆｅｒが空ではなく、且つ現在では伝送時間間隔（ＴＴＩ、Ｔｒａｎｓｍｉｓｓｉｏｎ  Ｔｉｍｅ  Ｉｎｔｅｒｖａｌ）の動的スケジューリングのｇｒａｎｔに未反転の新規データ指標（ＮＤＩ、Ｎｅｗ  Ｄａｔａ  Ｉｎｄｉｃａｔｏｒ）がない場合、前記ユーザー装置が以前にデータを伝送する際に用いたｇｒａｎｔを選択して再送すべきデータを伝送する。
【手続補正３】
【補正対象書類名】明細書
【補正対象項目名】００４０
【補正方法】変更
【補正の内容】
【００４０】
一つの例では、以前にデータを伝送する際に用いたｇｒａｎｔが１つの準静的スケジューリングのｇｒａｎｔである場合、前記ユーザー装置が前記１つの準静的スケジューリングのｇｒａｎｔを選択して再送すべきデータを伝送し、ネットワーク装置が前記１つの準静的スケジューリングのｇｒａｎｔのリソースを監視することにより、前記ユーザー装置の再送すべきデータを取得し、
以前にデータを伝送する際に用いたｇｒａｎｔがＭ個の準静的スケジューリングのｇｒａｎｔである場合、前記ユーザー装置が前記Ｍ個の準静的スケジューリングのｇｒａｎｔを選択して再送すべきデータを伝送し、ネットワーク装置が前記Ｍ個の準静的スケジューリングのｇｒａｎｔのリソースを監視することにより、前記ユーザー装置の再送すべきデータを取得し、前記Ｍは１より大きい整数である。
【手続補正４】
【補正対象書類名】明細書
【補正対象項目名】００４４
【補正方法】変更
【補正の内容】
【００４４】
更に、ユーザー装置が以前にデータを伝送する際に用いた準静的スケジューリングのｇｒａｎｔが複数あって、再送すべきデータも複数ある場合、以前にデータｉを伝送する際に用いた準静的スケジューリングのｇｒａｎｔがｇｒａｎｔ１であれば、ユーザー装置が複数の準静的スケジューリングのｇｒａｎｔのうちのｇｒａｎｔ１以外のｇｒａｎｔを選択してデータｉを伝送し、前記データｉは再送すべき複数のデータのうちの１つであり、ｇｒａｎｔ１はユーザー装置が以前にデータを伝送する際に用いた複数の準静的スケジューリングのｇｒａｎｔのうちの１つである。例えば、ユーザー装置がネットワーク装置へパケット１〜パケット１０を送信し、パケット２、パケット３がネットワーク装置に成功に受信されていない。ユーザー装置が以前にデータを伝送する際に用いた準静的スケジューリングのｇｒａｎｔにｇｒａｎｔ２及びｇｒａｎｔ３があって、ユーザー装置が以前にｇｒａｎｔ２を用いてパケット２を伝送し、ユーザー装置が以前にｇｒａｎｔ３を用いてパケット３を伝送した場合、再送時には、ユーザー装置はｇｒａｎｔ３を選択してパケット２を再送し、ユーザー装置はｇｒａｎｔ２を選択してパケット３を再送する。
【手続補正５】
【補正対象書類名】明細書
【補正対象項目名】００４７
【補正方法】変更
【補正の内容】
【００４７】
具体的に、ユーザー装置のＨＡＲＱ  ｂｕｆｆｅｒが空であることは、ユーザー装置がネットワーク装置へ再送する必要があるデータがないことを示す。５Ｇ／ＮＲシステムにおいて、現在ではユーザー装置に準静的スケジューリングのｇｒａｎｔがＮ個あるが、ユーザー装置は現在の状況ではユーザー装置がシングルキャリアアクセス方式以外の方式を用いることを許容しなければ（シングルキャリアアクセス方式以外の方式はシングルキャリアアクセス方式に比べてより高い送信電力及びより高い信号対雑音比を必要とし、且つ耐干渉性がシングルキャリアアクセス方式より低く、ユーザー装置がセルのエッジに位置する場合、ユーザー装置の現在のネットワーク状況が悪いため、ユーザー装置は現在の状況ではユーザー装置がシングルキャリアアクセス方式以外の方式を用いることを許容しない）、ユーザー装置がこのＮ個の準静的スケジューリングのｇｒａｎｔから１つのｇｒａｎｔを選択して新規データを伝送する。現在ではユーザー装置に準静的スケジューリングのｇｒａｎｔがＮ個あって、ユーザー装置は現在の状況ではユーザー装置がシングルキャリアアクセス方式以外の方式を用いることを許容すれば、ユーザー装置がこのＮ個の準静的スケジューリングのｇｒａｎｔから複数のｇｒａｎｔを選択して新規データを伝送する。
【手続補正６】
【補正対象書類名】明細書
【補正対象項目名】００５１
【補正方法】変更
【補正の内容】
【００５１】
一つの例では、前記ユーザー装置が前記Ｎ個の準静的スケジューリングのｇｒａｎｔのうちのＴＢＳの最も大きいｇｒａｎｔを選択して新規データを伝送し、ネットワーク装置が前記Ｎ個の準静的スケジューリングのｇｒａｎｔのうちのＴＢＳの最も大きいｇｒａｎｔのリソースを監視することにより、前記ユーザー装置の伝送した新規データを取得する。例えば、Ｎ個の準静的スケジューリングのｇｒａｎｔにｇｒａｎｔ１、ｇｒａｎｔ２、ｇｒａｎｔ３、ｇｒａｎｔ４及びｇｒａｎｔ５があって、この５つのｇｒａｎｔのうちのＴＢＳの最も大きいｇｒａｎｔがｇｒａｎｔ５である場合、ユーザー装置がｇｒａｎｔ５を選択して新規データを伝送する。
【手続補正７】
【補正対象書類名】明細書
【補正対象項目名】００５７
【補正方法】変更
【補正の内容】
【００５７】
一つの例では、前記プログラムは、具体的に、
ＨＡＲＱ  ｂｕｆｆｅｒが空であって、現在では準静的スケジューリングのｇｒａｎｔがＮ個あって、且つ前記ユーザー装置がシングルキャリアアクセス方式以外の方式を用いることを許容しなければ、前記Ｎ個の準静的スケジューリングのｇｒａｎｔのうちの１つのｇｒａｎｔを選択して新規データを伝送し、前記Ｎは１より大きい整数であり、
ＨＡＲＱ  ｂｕｆｆｅｒが空であって、現在では準静的スケジューリングのｇｒａｎｔがＮ個あって、且つ前記ユーザー装置がシングルキャリアアクセス方式以外の方式を用いることを許容すれば、前記Ｎ個の準静的スケジューリングのｇｒａｎｔのうちの複数のｇｒａｎｔを選択して新規データを伝送するステップを実行するための命令を含む。
【手続補正８】
【補正対象書類名】明細書
【補正対象項目名】００５８
【補正方法】変更
【補正の内容】
【００５８】
一つの例では、前記プログラムは、更に、
ＨＡＲＱ  ｂｕｆｆｅｒが空であって、現在では動的スケジューリングのｇｒａｎｔがある場合、現在の動的スケジューリングのｇｒａｎｔを選択して新規データを伝送するステップを実行するための命令を含む。
【手続補正９】
【補正対象書類名】明細書
【補正対象項目名】００５９
【補正方法】変更
【補正の内容】
【００５９】
一つの例では、前記プログラムは、具体的に、
前記Ｎ個の準静的スケジューリングのｇｒａｎｔのうちの伝送ブロックサイズ（ＴＢＳ）の最も大きいｇｒａｎｔを選択して新規データを伝送するステップを実行するための命令を含む。
【手続補正１０】
【補正対象書類名】明細書
【補正対象項目名】００６０
【補正方法】変更
【補正の内容】
【００６０】
一つの例では、前記プログラムは、具体的に、
前記Ｎ個の準静的スケジューリングのｇｒａｎｔのうちのインデックス値（Ｉｎｄｅｘ）の最も大きい又は最も小さいｇｒａｎｔを選択して新規データを伝送するステップを実行するための命令を含む。
【手続補正１１】
【補正対象書類名】明細書
【補正対象項目名】００６１
【補正方法】変更
【補正の内容】
【００６１】
一つの例では、前記プログラムは、具体的に、
ＨＡＲＱ  ｂｕｆｆｅｒが空ではなく、且つ現在では伝送時間間隔（ＴＴＩ）の動的スケジューリングのｇｒａｎｔに未反転の新規データ指標ＮＤＩがない場合、以前にデータを伝送する際に用いたｇｒａｎｔを選択して再送すべきデータを伝送するステップを実行するための命令を含む。
【手続補正１２】
【補正対象書類名】明細書
【補正対象項目名】００６２
【補正方法】変更
【補正の内容】
【００６２】
一つの例では、前記プログラムは、更に、
ＨＡＲＱ  ｂｕｆｆｅｒが空ではなく、且つ現在ではＴＴＩの動的スケジューリングのｇｒａｎｔに未反転のＮＤＩがある場合、現在の動的スケジューリングのｇｒａｎｔを選択して再送すべきデータを伝送するステップを実行するための命令を含む。
【手続補正１３】
【補正対象書類名】明細書
【補正対象項目名】００６５
【補正方法】変更
【補正の内容】
【００６５】
一つの例では、前記プログラムは、更に、
現在の動的スケジューリングのｇｒａｎｔのリソースを監視することにより、前記ユーザー装置の、ＨＡＲＱ  ｂｕｆｆｅｒが空であって、且つ現在では動的スケジューリングのｇｒａｎｔがある場合、現在の動的スケジューリングのｇｒａｎｔによって伝送した新規データを取得するステップを実行するための命令を含む。
【手続補正１４】
【補正対象書類名】明細書
【補正対象項目名】００６６
【補正方法】変更
【補正の内容】
【００６６】
一つの例では、現在では準静的スケジューリングのｇｒａｎｔがＮ個あり、前記Ｎは１より大きい整数であり、前記プログラムは、具体的に、
現在の前記Ｎ個の準静的スケジューリングのｇｒａｎｔのうちの伝送ブロックサイズ（ＴＢＳ）の最も大きいｇｒａｎｔのリソースを監視するステップを実行するための命令を含む。
【手続補正１５】
【補正対象書類名】明細書
【補正対象項目名】００６７
【補正方法】変更
【補正の内容】
【００６７】
一つの例では、現在では準静的スケジューリングのｇｒａｎｔがＮ個あり、前記Ｎは１より大きい整数であり、前記プログラムは、具体的に、
現在の前記Ｎ個の準静的スケジューリングのｇｒａｎｔのうちのインデックス値（Ｉｎｄｅｘ）の最も大きい又は最も小さいｇｒａｎｔのリソースを監視するステップを実行するための命令を含む。
【手続補正１６】
【補正対象書類名】明細書
【補正対象項目名】００６８
【補正方法】変更
【補正の内容】
【００６８】
一つの例では、前記プログラムは、更に、
現在の動的スケジューリングのｇｒａｎｔのリソースを監視することにより、前記ユーザー装置の、ＨＡＲＱ  ｂｕｆｆｅｒが空ではなく、且つ現在では伝送時間間隔（ＴＴＩ）の動的スケジューリングのｇｒａｎｔに未反転のＮＤＩがある場合、現在の動的スケジューリングのｇｒａｎｔによって伝送した再送すべきデータを取得するステップを実行するための命令を含む。
【手続補正１７】
【補正対象書類名】明細書
【補正対象項目名】００８１
【補正方法】変更
【補正の内容】
【００８１】
表示ユニット９４０はユーザーの入力した情報又はユーザーに提供した情報及び携帯電話の様々なメニューを表示することに用いられてもよい。表示ユニット９４０はディスプレイ９４１を備えてもよく、選択肢として、液晶ディスプレイ（ＬＣＤ、Ｌｉｑｕｉｄ  Ｃｒｙｓｔａｌ  Ｄｉｓｐｌａｙ）、有機発光ダイオード（ＯＬＥＤ、Ｏｒｇａｎｉｃ  Ｌｉｇｈｔ−Ｅｍｉｔｔｉｎｇ  Ｄｉｏｄｅ）等の形式でディスプレイ９４１を設定してもよい。図７では、指紋認識モジュール９３１及びディスプレイ９４１が２つの独立した部材として携帯電話の入力及び再生機能を実現するが、いくつかの実施例では、指紋認識モジュール９３１及びディスプレイ９４１を統合して携帯電話の入力及び再生機能を実現してもよい。
【手続補正１８】
【補正対象書類名】特許請求の範囲
【補正対象項目名】全文
【補正方法】変更
【補正の内容】
【特許請求の範囲】
【請求項１】
データ伝送方法であって、
ハイブリッド自動再送要求バッファ（ＨＡＲＱ  ｂｕｆｆｅｒ）が空ではない場合、ユーザー装置は以前にデータを伝送する際に用いたアップリンクリソースグラント（ｇｒａｎｔ）を選択して再送すべきデータを伝送すること、又は、
ＨＡＲＱ  ｂｕｆｆｅｒが空である場合、前記ユーザー装置は前記ユーザー装置の許容するキャリアアクセス方式に基づいて現在の１つの準静的スケジューリングのｇｒａｎｔを選択して新規データを伝送し、又は現在の複数の準静的スケジューリングのｇｒａｎｔを選択して新規データを伝送することを含むことを特徴とするデータ伝送方法。
【請求項２】
前記ユーザー装置が前記ユーザー装置の許容するキャリアアクセス方式に基づいて現在の１つの準静的スケジューリングのｇｒａｎｔを選択して新規データを伝送し、又は現在の複数の準静的スケジューリングのｇｒａｎｔを選択して新規データを伝送することは、
ＨＡＲＱ  ｂｕｆｆｅｒが空であって、現在では準静的スケジューリングのｇｒａｎｔがＮ個あって、且つ前記ユーザー装置がシングルキャリアアクセス方式以外の方式を用いることを許容しなければ、前記ユーザー装置が前記Ｎ個の準静的スケジューリングのｇｒａｎｔのうちの１つのｇｒａｎｔを選択して新規データを伝送し、前記Ｎは１より大きい整数であることと、
ＨＡＲＱ  ｂｕｆｆｅｒが空であって、現在では準静的スケジューリングのｇｒａｎｔがＮ個あって、且つ前記ユーザー装置がシングルキャリアアクセス方式以外の方式を用いることを許容すれば、前記ユーザー装置が前記Ｎ個の準静的スケジューリングのｇｒａｎｔのうちの複数のｇｒａｎｔを選択して新規データを伝送することと、を含むことを特徴とする請求項１に記載の方法。
【請求項３】
前記方法は、更に、
ＨＡＲＱ  ｂｕｆｆｅｒが空であって、現在では動的スケジューリングのｇｒａｎｔがある場合、前記ユーザー装置が現在の動的スケジューリングのｇｒａｎｔを選択して新規データを伝送することを含むことを特徴とする請求項１又は２に記載の方法。
【請求項４】
前記ユーザー装置が前記Ｎ個の準静的スケジューリングのｇｒａｎｔのうちの１つのｇｒａｎｔを選択して新規データを伝送することは、
前記ユーザー装置が前記Ｎ個の準静的スケジューリングのｇｒａｎｔのうちの伝送ブロックサイズ（ＴＢＳ）の最も大きい１つのｇｒａｎｔを選択して新規データを伝送することを含み、
或いは、
前記ユーザー装置が前記Ｎ個の準静的スケジューリングのｇｒａｎｔのうちの１つのｇｒａｎｔを選択して新規データを伝送することは、
前記ユーザー装置が前記Ｎ個の準静的スケジューリングのｇｒａｎｔのうちのインデックス値（Ｉｎｄｅｘ）の最も大きい又は最も小さいｇｒａｎｔを選択して新規データを伝送することを含むことを特徴とする請求項２又は３に記載の方法。
【請求項５】
前記ユーザー装置が以前にデータを伝送する際に用いたｇｒａｎｔを選択して再送すべきデータを伝送することは、
ＨＡＲＱ  ｂｕｆｆｅｒが空ではなく、且つ現在では伝送時間間隔（ＴＴＩ）の動的スケジューリングのｇｒａｎｔに未反転の新規データ指標（ＮＤＩ）がない場合、前記ユーザー装置が以前にデータを伝送する際に用いたｇｒａｎｔを選択して再送すべきデータを伝送することを含むことを特徴とする請求項１に記載の方法。
【請求項６】
前記方法は、更に、
ＨＡＲＱ  ｂｕｆｆｅｒが空ではなく、且つ現在ではＴＴＩの動的スケジューリングのｇｒａｎｔに未反転のＮＤＩがある場合、前記ユーザー装置が現在の動的スケジューリングのｇｒａｎｔを選択して再送すべきデータを伝送することを含むことを特徴とする請求項５に記載の方法。
【請求項７】
前記ユーザー装置が以前にデータを伝送する際に用いたｇｒａｎｔを選択して再送すべきデータを伝送することは、
以前にデータを伝送する際に用いたｇｒａｎｔが１つの準静的スケジューリングのｇｒａｎｔである場合、前記ユーザー装置が前記１つの準静的スケジューリングのｇｒａｎｔを選択して再送すべきデータを伝送することと、
以前にデータを伝送する際に用いたｇｒａｎｔがＭ個の準静的スケジューリングのｇｒａｎｔである場合、前記ユーザー装置が前記Ｍ個の準静的スケジューリングのｇｒａｎｔを選択して再送すべきデータを伝送し、前記Ｍは１より大きい整数であることと、を含むことを特徴とする請求項５又は６に記載の方法。
【請求項８】
データ伝送方法であって、
ネットワーク装置はユーザー装置が以前にデータを伝送する際に用いたアップリンクリソースグラント（ｇｒａｎｔ）のリソースを監視し、それによって前記ネットワーク装置は、前記ユーザー装置がハイブリッド自動再送要求バッファ（ＨＡＲＱ  ｂｕｆｆｅｒ）が空ではない場合、以前にデータを伝送する際に用いたｇｒａｎｔによって伝送した再送すべきデータを取得すること、又は、
前記ネットワーク装置は現在の１つの準静的スケジューリングのｇｒａｎｔ又は現在の複数の準静的スケジューリングのｇｒａｎｔのリソースを監視し、それによって前記ネットワーク装置は、前記ユーザー装置がＨＡＲＱ  ｂｕｆｆｅｒが空である場合、現在の１つの準静的スケジューリングのｇｒａｎｔ又は現在の複数の準静的スケジューリングのｇｒａｎｔによって伝送した新規データを取得することを含むことを特徴とするデータ伝送方法。
【請求項９】
前記方法は、更に、
前記ネットワーク装置が現在の動的スケジューリングのｇｒａｎｔのリソースを監視し、それによって前記ネットワーク装置は、前記ユーザー装置が、ＨＡＲＱ  ｂｕｆｆｅｒが空であって、現在では動的スケジューリングのｇｒａｎｔがある場合、現在の動的スケジューリングのｇｒａｎｔによって伝送した新規データを取得することを含むことを特徴とする請求項８に記載の方法。
【請求項１０】
現在では準静的スケジューリングのｇｒａｎｔがＮ個あって、前記Ｎは１より大きい整数である場合、前記ネットワーク装置が現在の１つの準静的スケジューリングのｇｒａｎｔのリソースを監視することは、
前記ネットワーク装置が現在の前記Ｎ個の準静的スケジューリングのｇｒａｎｔのうちの伝送ブロックサイズ（ＴＢＳ）の最も大きいｇｒａｎｔのリソースを監視することを含み、
或いは、
現在では準静的スケジューリングのｇｒａｎｔがＮ個あって、前記Ｎが１より大きい整数である場合、前記ネットワーク装置が現在の１つの準静的スケジューリングのｇｒａｎｔのリソースを監視することは、
前記ネットワーク装置が現在の前記Ｎ個の準静的スケジューリングのｇｒａｎｔのうちのインデックス値（Ｉｎｄｅｘ）の最も大きい又は最も小さいｇｒａｎｔのリソースを監視することを含むことを特徴とする請求項９又は１０に記載の方法。
【請求項１１】
前記方法は、更に、
前記ネットワーク装置が現在の動的スケジューリングのｇｒａｎｔのリソースを監視し、それによって前記ネットワーク装置は、前記ユーザー装置が、ＨＡＲＱ  ｂｕｆｆｅｒが空ではなく、且つ現在では伝送時間間隔（ＴＴＩ）の動的スケジューリングのｇｒａｎｔに未反転のＮＤＩがある場合、現在の動的スケジューリングのｇｒａｎｔによって伝送した再送すべきデータを取得することを含むことを特徴とする請求項８に記載の方法。
【請求項１２】
ユーザー装置であって、
処理ユニット及び通信ユニットを備え、
前記処理ユニットはハイブリッド自動再送要求バッファ（ＨＡＲＱ  ｂｕｆｆｅｒ）が空ではない場合、前記通信ユニットによって以前にデータを伝送する際に用いたアップリンクリソースグラント（ｇｒａｎｔ）を選択して再送すべきデータを伝送し、又は、ＨＡＲＱ  ｂｕｆｆｅｒが空である場合、前記通信ユニットによって前記ユーザー装置の許容するキャリアアクセス方式に基づいて現在の１つの準静的スケジューリングのｇｒａｎｔを選択して新規データを伝送し、又は現在の複数の準静的スケジューリングのｇｒａｎｔを選択して新規データを伝送することに用いられることを特徴とするユーザー装置。
【請求項１３】
ネットワーク装置であって、
処理ユニット及び通信ユニットを備え、
前記処理ユニットは前記通信ユニットによってユーザー装置が以前にデータを伝送する際に用いたアップリンクリソースグラント（ｇｒａｎｔ）のリソースを監視することにより、前記ユーザー装置の、ハイブリッド自動再送要求バッファ（ＨＡＲＱ  ｂｕｆｆｅｒ）が空ではない場合、以前にデータを伝送する際に用いたｇｒａｎｔによって伝送した再送すべきデータを取得し、又は、前記通信ユニットによって現在の１つの準静的スケジューリングのｇｒａｎｔ又は現在の複数の準静的スケジューリングのｇｒａｎｔのリソースを監視することにより、前記ユーザー装置の、ＨＡＲＱ  ｂｕｆｆｅｒが空である場合、現在の１つの準静的スケジューリングのｇｒａｎｔ又は現在の複数の準静的スケジューリングのｇｒａｎｔによって伝送した新規データを取得することに用いられることを特徴とするネットワーク装置。
【請求項１４】
コンピュータ可読記憶媒体であって、
電子データを交換するためのコンピュータプログラムが記憶され、前記コンピュータプログラムによってコンピュータは請求項１〜７のいずれか１項に記載の方法を実行することを特徴とするコンピュータ可読記憶媒体。
【請求項１５】
コンピュータ可読記憶媒体であって、
電子データを交換するためのコンピュータプログラムが記憶され、前記コンピュータプログラムによってコンピュータは請求項８〜１１のいずれか１項に記載の方法を実行することを特徴とするコンピュータ可読記憶媒体。
【国際調査報告】
2020529747.tif 000010
2020529747.tif 000011
2020529747.tif 000012
2020529747.tif 000013
2020529747.tif 000014